(57)【要約】【課題】車載機の更新対象情報への更新作業に関するユーザビリティを向上させる技術を提供する。【解決手段】車載システムは、第１記憶部を備え、第１通信手段を介して取得された更新情報を第１記憶部に保存する保存手段を有する携帯端末と、携帯端末との間で通信する第２通信手段を介して第１記憶部に保存された更新情報を取得し、第２記憶部に記録された更新対象情報を更新情報で更新する更新手段を有する車載機と、を備えることを特徴とする。【選択図】図１
2019200132.tif 000002
【特許請求の範囲】
【請求項１】
第１記憶部を備え、第１通信手段を介して取得された更新情報を前記第１記憶部に保存する保存手段、を有する携帯端末と、
前記携帯端末との間で通信する第２通信手段を介して前記第１記憶部に保存された更新情報を取得し、第２記憶部に記録された更新対象情報を前記更新情報で更新する更新手段、を有する車載機と、
を備えることを特徴とする車載システム。
【請求項２】
前記携帯端末は、前記車載機から発行された識別情報に基づいて前記更新情報を取得し、
前記車載機は、前記識別情報に基づいて前記第１記憶部に保存された更新情報の正当性を認証する認証手段、をさらに備える、請求項１に記載の車載システム。
【請求項３】
前記更新手段は、前記第１記憶部に保存された更新情報の正当性が認証されたときに、前記第２記憶部に記録された更新対象情報を前記更新情報で更新する、請求項１または２に記載の車載システム。
【請求項４】
前記携帯端末は、
前記第１通信手段を介して前記第２記憶部に記録された更新対象情報に対する更新通知を受け付ける受付手段と、
前記車載機から走行した地点を含む履歴情報を取得する手段と、
前記更新通知で指定される情報と前記履歴情報とに基づいて、前記更新対象情報の中で更新に用いる更新部分を判別する判別手段と、
前記判別された更新部分を前記車載機に通知する通知手段と、をさらに備える、請求項１から３の何れか一項に記載の車載システム。
【請求項５】
第１記憶部を備える携帯端末のプロセッサが、第１通信手段を介して取得された更新情報を前記第１記憶部に保存する保存ステップ、を実行し、
第２記憶部を備える車載機のプロセッサが、前記携帯端末との間で通信する第２通信手段を介して前記第１記憶部に保存された更新情報を取得し、前記第２記憶部に記録された更新対象情報を前記更新情報で更新する更新ステップ、を実行する
ことを特徴とするデータの更新方法。
【発明の詳細な説明】
【技術分野】
【０００１】
本発明は、車載システムおよびデータの更新方法に関する。
【背景技術】
【０００２】
従来から、車両に搭載可能な、ナビゲーション機能を提供する車載機が知られている。車載機は、例えば、ＨＤＤ（Hard-disk Drive）や専用のＳＤ（Secure Digital）カード
等の記憶媒体に、ナビゲーション機能を搭乗者に提供するための地図情報を記憶する。そして、車載機は、自車両の現在位置（緯度、経度）を取得する機能、および、地図をＬＣＤ（Liquid Crystal Display）等の表示デバイス上に表示する機能を有し、走行中の自車両の位置や目的地に至る走行経路を案内する。このような、車載機として、例えば、ナビゲーション装置や、ナビゲーション機能に加え、オーディオ機能、画像再生機能、通信機能等を提供するＡＶＮ機（車載用オーディオ・ビジュアル・ナビゲーション一体機）が例示される。
【０００３】
また、近年のＩＣＴ（情報通信技術：Information and Communication Technology）の普及に伴い、情報処理端末と連携する車載機が提案されている。このような情報処理端末には、ナビゲーション機能等を提供するためのアプリケーションプログラム（以下、「アプリ」とも称す）が搭載される。車載機は、アプリが搭載された情報処理端末を操作する搭乗者の操作入力に応じて所定機能を提供する。このような、上記アプリが搭載される情報処理端末として、例えば、スマートフォンや携帯電話等の可搬可能な携帯端末が例示される。車載機は、例えば、ＵＳＢ（Universal Serial Bus）やブルートゥース（Bluetooth（登録商標））等の通信インターフェースを介して上記情報処理端末と連携し、当該情
報処理端末を操作する搭乗者に対してナビゲーション機能等の所定機能を提供する。
【０００４】
なお、本明細書で説明する技術に関連する技術が記載されている先行技術文献としては、以下の特許文献が存在している。
【先行技術文献】
【特許文献】
【０００５】
【特許文献１】特開２００４−１２３８２号公報
【特許文献２】特開２０１６−１８０９８０号公報
【発明の概要】
【発明が解決しようとする課題】
【０００６】
ところで、ナビゲーション機能を提供する車載機においては、以下に示す形態で、ＨＤＤ等に記憶された地図情報の更新が行われていた。典型的には、車載機の所有者が更新後の地図情報が記憶された専用のメディア（ＤＶＤ（Digital Versatile Disk）等の光学ディスクやＳＤカード等）を購入し、当該メディアを用いてＨＤＤ等の地図情報を更新する形態である。この更新形態では、更新情報が記憶された物理的な専用メディアの購入が発生する。また、ＳＤカード等の記憶媒体に記憶された地図情報を利用する車載機においても、ＳＤカード等が購入される点は上記と同様である。
【０００７】
次に、車載機の購入先である販売店や専門店、車載機を備えた車両の購入先であるディーラ等の販売店、あるいは、車両の整備工場等に当該車両等を運搬し、地図情報の更新作業を依頼する形態である。この更新形態では、地図情報の更新作業を提供する箇所（専門店やディーラ、整備工場）に、車載機が搭載された車両を搬入する必要があった。
【０００８】
さらなる形態として、車載機がＷｉｆｉに接続可能な通信インターフェースを有する場合が例示できる。この形態では、例えば、車両の所有者は、Ｗｉｆｉに接続可能な環境下に車両を移動させた上で、更新後の地図情報のダウンロードが可能になる。しかし、この更新形態においても、Ｗｉｆｉに接続可能な電波環境下に車両を移動させる必要がある。また、ダウンロード実行時には、電波環境が変動しないように駐停車させた上で、少なくともダウンロードされた地図情報によるデータ更新が完了するまでの期間、車載機を動作させるための電力を供給し続ける必要があった。
【０００９】
上述のように、車載機の地図情報の更新においては、物理的な専用メディア等の購入や、更新作業を提供する所定箇所、所定の電波環境下への車両の移動といった操作が発生していたので、更新作業に係る手間や時間的な制約を要していた。
【００１０】
本発明は、このような事情を考慮してなされたものであり、車載機の更新対象情報への更新作業に関するユーザビリティを向上させる技術の提供を目的とする。
【課題を解決するための手段】
【００１１】
上記目的を達成するために、本発明の一側面は、車載システムとして例示される。すなわち、車載システムは、第１記憶部を備え、第１通信手段を介して取得された更新情報を第１記憶部に保存する保存手段を有する携帯端末と、携帯端末との間で通信する第２通信手段を介して第１記憶部に保存された更新情報を取得し、第２記憶部に記録された更新対象情報を更新情報で更新する更新手段を有する車載機と、を備えることを特徴とする。
【００１２】
また、本発明の他の側面は、携帯端末のプロセッサと車載機のプロセッサが実行するデータの更新方法として例示される。すなわち、データの更新方法は、第１記憶部を備える携帯端末のプロセッサが、第１通信手段を介して取得された更新情報を第１記憶部に保存する保存ステップ、を実行し、第２記憶部を備える車載機のプロセッサが、携帯端末との間で通信する第２通信手段を介して第１記憶部に保存された更新情報を取得し、第２記憶部に記録された更新対象情報を更新情報で更新する更新ステップ、を実行することを特徴とする。
【発明の効果】
【００１３】
本発明によれば、車載機の更新対象情報への更新作業に関するユーザビリティを向上する技術が提供される。
【図面の簡単な説明】
【００１４】
【図１】実施形態に係る車載システムの構成の一例を示す図である。
【図２】車載機のハードウェア構成の一例を示す図である。
【図３】情報処理端末のハードウェア構成の一例を示す図である。
【図４】車載システムの機能構成を説明する図である。
【図５】車載システムのデータ更新に関する処理の一例を示すシーケンス図である。
【図６】Ｓ６の詳細処理の一例を示すフローチャートである。
【図７】変形例の更新情報の取得処理の一例を示すフローチャートである。
【図８】変形例のデータ更新に関する処理の一例を示すフローチャートである。
【発明を実施するための形態】
【００１５】
以下、図面を参照して、一実施形態に係る車載システムについて説明する。以下の実施形態の構成は例示であり、本車載システムは実施形態の構成には限定されない。
【００１６】
＜実施の形態＞
〔１．システム構成〕
図１は、本実施形態に係る車載システム１のシステム構成の一例を示す図である。図１に例示の車載システム１は、車載機１０、および、車載機１０と連携する情報処理端末２０を含む形態の一例である。図１の車載システム１においては、車載機１０および情報処理端末２０は、ＵＳＢ、ブルートゥース等の通信インターフェースを介して接続し、車載機１０の提供するナビゲーション機能等の所定機能を利用するための操作支援に係る連携が行われる。また、情報処理端末（以下、単に「端末」とも称す）２０は、ネットワークＮを介して、車載機１０が有する地図情報の更新データを管理する管理サーバ３０に接続される。
【００１７】
車載機１０は、車両に搭載可能な、ナビゲーション機能を提供する機器である。車載機１０は、ＧＰＳ（Global Positioning System）受信部を備え、当該ＧＰＳ受信部を介し
て受信された、地球の周囲を周回する複数の人工衛星（Global Positioning Satellite）から時刻信号の電波に基づいて自車位置（緯度、経度）を検出する。車載機１０は、ナビゲーション用の地図データが記録されたハードディスク等を有し、検出された自車位置や目的に至る経路を地図データ上に重畳させてＬＣＤ等の表示デバイスに表示する。また、車載機１０は、音声を介した交差点等における右左折等の進行方向案内や、経路上の交通情報の提示をおこない、目的地までの経路案内を行う。
【００１８】
ナビゲーション機能を提供する車載機１０として、ＡＶＮ機が例示される。ＡＶＮ機では、例えば、車両に搭乗する搭乗者の操作に応じて、上記のナビゲーション機能に加え、オーディオ機能、画像再生機能、通信機能等が一体的に提供される。また、車載機１０は、上記のナビゲーション機能等を提供するためのアプリケーションプログラムが搭載された端末２０と連携し、当該端末を介した操作に応じて上記所定機能を提供する。アプリが搭載される端末２０は、例えば、車載機１０（車載機１０を搭載する車両）の権利者に所有される。以下においては、アプリが搭載される端末２０の所有者（車載機１０、あるいは、車載機１０を搭載する車両の権利者）を「ユーザ」とも称する。
【００１９】
例えば、アプリの実行により、車載機１０の提供するナビゲーション機能を介して、自車両の現在位置（緯度、経度、高度等）や目的地、ランドマーク等を含む地図情報が端末２０の表示デバイスに表示される。また、アプリの実行により、車載機１０の提供するオーディオ機能を介して、ＴＶ放送やラジオ放送を視聴するためのチャンネル情報や、ＣＤ（Compact Disc）、ＤＶＤ等に記録された再生対象の楽曲や映像等のコンテンツリストが端末２０の表示デバイス等に表示される。車載機１０は、端末２０を介した操作入力を受け付け、当該操作入力に対応したコンテンツ等を搭乗者に提供する。例えば、車載機１０の表示デバイスには、例えば、端末２０を介した操作入力に対応する映像コンテンツが表示され、スピーカ等の出力デバイスを介して操作入力に対応する音響コンテンツが提供される。
【００２０】
端末２０は、例えば、スマートフォン、携帯電話、タブレット端末、個人情報端末、ウェアラブルコンピュータ（スマートウォッチ等）といった携帯可能な小型のコンピュータである。端末２０は、例えば、ＬＣＤ、ＥＬ（Electroluminescence）パネル、有機ＥＬ
パネル等の表示デバイス、スピーカ等の出力デバイスを有する。また、端末２０は、例えば、タッチパネル、押ボタン、マイクロフォン等の入力デバイスを有する。また、端末２０は、アプリ等の各種プログラムや処理に係るデータ等を記憶するストレージ（補助記憶部２３等）を有する。端末２０には、車載機１０の提供する所定機能を利用するための操作支援に係るアプリが搭載される。情報処理端末２０は、「携帯端末」の一例である。
【００２１】
管理サーバ３０は、例えば、車載機１０の保持する地図情報等のデータを管理するサーバ、ＰＣ（Personal Computer）等の情報処理装置である。管理サーバ３０は、地図デー
タが格納されたデータベースを備え、一定期間（例えば、月単位、年単位等）毎に更新さ
れる地図データおよび地図データの更新情報を管理する。管理サーバ３０は、ネットワークＮを介して端末２０と接続する。ネットワークＮには、インターネット等の公衆ネットワーク、Ｗｉｆｉや携帯電話網の無線ネットワーク、ＶＰＮ（Virtual Private Network
）等の専用ネットワーク、ＬＡＮ（Local Area Network）等が含まれる。管理サーバ３０は、例えば、車載機１０を提供する事業者、あるいは、当該事業者から委託を受けた組織等によって運用される。管理サーバ３０では、ネットワークＮに接続する端末２０やＰＣ等を介したリクエストに応じて、当該管理サーバ３０の管理する更新後の地図データ等が提供される。
【００２２】
本実施形態に係る車載システム１においては、車載機１０は、連携するアプリが搭載された端末２０を介し、以下の（Ａ）から（Ｄ）に示す手順に基づいてハードディスク等に記録された地図情報のデータ更新を行う。
（Ａ）認証機器ＩＤの発行
車載機１０は、操作支援に係るアプリの実行によりブルートゥース等の通信インターフェースを介して連携する端末２０に対して、認証機器ＩＤを発行する。認証機器ＩＤは、車載機１０と連携する端末毎に管理されるユニークな識別情報である。端末２０は、自装置のストレージの所定の領域に車載機１０から発行された認証機器ＩＤを記憶する。なお、端末２０は、既述したように、Ｗｉｆｉや携帯電話網の無線ネットワーク、インターネット等を介して管理サーバ３０が接続するネットワークＮにアクセス可能な装置である。
（Ｂ）認証機器ＩＤの送信
認証機器ＩＤの発行後、車載機１０のハードディスク等に記録された地図情報のデータ更新を行うユーザは、所定のタイミングで、アプリが実行された端末２０を介してネットワークＮに接続し、管理サーバ３０にアクセスする。ユーザは、例えば、自宅等のネットワークＮへ接続可能な環境下にある場所において、端末２０に搭載されたアプリを実行し、管理サーバ３０に接続する。端末２０に搭載されたアプリは、例えば、ＡＰＩ（Application Programming Interface）を介して当該端末のブラウザを起動し、ネットワーク上
の管理サーバ３０に接続する。管理サーバ３０に接続後、端末２０の表示デバイス上には、例えば、更新データの購入に係る案内画面が表示される。ユーザは、表示デバイスに表示された案内画面にしたがって、操作入力を行い、地図情報の更新データの購入を決定する。アプリが実行された端末２０は、例えば、更新データの購入の決定と共に、自装置のストレージの所定の領域に記憶された認証機器ＩＤを読み出して管理サーバ３０に送信する。管理サーバ３０には、更新データの購入決定の通知と共に、車載機１０から発行された認証機器ＩＤが通知される。
（Ｃ）購入者ＩＤの発行および更新データのダウンロード
管理サーバ３０は、端末２０から送信された認証機器ＩＤに基づいて、認証機器ＩＤを暗号化した購入者ＩＤを生成する。購入者ＩＤは、購入された更新データを復号化するための鍵情報である。なお、購入者ＩＤを復号するためのアルゴリズムは、予め車載機１０に保持される。そして、管理サーバ３０は、生成した購入者ＩＤを端末２０に発行すると共に、購入者ＩＤを用いて現時点における最新の地図情報を更新データとして暗号化し、暗号化された更新データを端末２０に送信する。端末２０は、管理サーバ３０が発行した購入者ＩＤの受信、および、暗号化された更新データのダウンロードを実行する。端末２０では、アプリの実行により、受信した購入者ＩＤとダウンロードが完了した更新データとが関連付けされてストレージの所定の領域に記憶される。
（Ｄ）地図情報の更新
地図情報のデータ更新を行うユーザは、例えば、ダウンロード完了後の端末２０を車載機１０に連携させる。端末２０は、ユーザの操作入力を受け付けてアプリを実行し、ブルートゥース等を介して車載機１０に接続する。アプリの実行により、ストレージの所定の領域に記憶された更新データを復号するための購入者ＩＤが、車載機１０に送信される。車載機１０は、予め保持された購入者ＩＤを復号するアルゴリズムを用いて、端末２０から送信された購入者ＩＤを復号し、復号された情報に含まれる認証機器ＩＤが当該端末２
０に発行した認証機器ＩＤと一致することを確認する。車載機１０は、例えば、購入者ＩＤから取得した認証機器ＩＤと、購入者ＩＤを送信する端末２０に発行した認証機器ＩＤとが一致する場合には、端末２０のストレージに記憶された更新データの送信の許可を通知する。通知を受けた端末２０は、アプリの実行を介して、ストレージに記憶された更新データの車載機１０への送信を開始する。車載機１０は、連携する端末２０を介して取得した更新データに基づいて、ハードディスク等に記録された地図データが最新の情報に更新される。
【００２３】
以上の（Ａ）から（Ｄ）に示す手順により、車載機１０は、連携する端末２０のストレージに格納された地図情報の更新データにより、当該車載機のハードディスク等に記録された地図情報を最新のデータに更新することが可能になる。車載機１０と連携する端末２０は、ユーザに携帯される。このため、ネットワークＮに接続可能な環境下では、アプリが搭載された端末２０は、ユーザの意図するタイミングで管理サーバ３０に接続し、地図情報に係る更新データを取得し、取得した更新データを当該端末の備えるストレージに記録できる。ストレージに記憶された更新データは、端末２０を携帯するユーザの車両使用時において、当該端末に搭載されたアプリを起動して車載機１０と連携する任意のタイミングで当該車載機に送信できる。
【００２４】
この結果、本実施形態の車載システム１では、車載機１０と連携する情報処理端末２０のストレージを利用して、当該車載機のハードディスク等に記録された地図情報が更新できる。したがって、本実施形態の車載システム１の地図情報の更新においては、車載機１０が搭載された車両を所定の電波環境を有する場所への移動や、更新作業を提供する施設等へ搬入する手間が省略できる。また、本実施形態の車載システム１の地図情報の更新においては、最新の更新データが格納されたＳＤカードや光学ディスク等のメディアの購入、あるいは、最新の更新データを格納するための専用メディアの購入が不要になる。本実施形態の車載システム１によれば、車載機の地図情報といった更新を要する対象情報への更新作業に関するユーザビリティが向上される。
【００２５】
また、本実施形態の車載システム１においては、車載機１０は、連携する端末２０に対して認証機器ＩＤを発行できる。そして、車載機１０は、連携する端末２０のストレージに格納された更新データを取得する際に、当該認証機器ＩＤに基づいて、更新データの正当性を確認できる。この結果、本実施形態の車載システム１では、正規のルート以外で不正に入手された更新データの不正複写や不正利用が抑制される。
【００２６】
〔２．ハードウェア構成〕
（車載機）
図２は、車載機１０のハードウェア構成の一例を示す図である。図２においては、ナビゲーション機能を提供する車載機１０の形態が例示される。図２の形態では、車載機１０は、接続バス１１３によって相互に接続されたＣＰＵ（Central Processing Unit）１０
１、主記憶部１０２、補助記憶部１０３、操作部１０４、表示部１０５、ナビゲーション部１０６、ＧＰＳ受信部１０７を有する。また、接続バス１１３には、音声処理部１０８、スピーカ１０９、通信制御部１１０、通信モジュール１１１、センサ１１２が接続する。
【００２７】
ＣＰＵ１０１は、車載機１０全体の制御を行う中央処理演算装置である。ＣＰＵ１０１はプロセッサとも呼ばれる。ＣＰＵ１０１は、補助記憶部１０３に記憶されたプログラムを主記憶部１０２の作業領域に実行可能に展開し、プログラムの実行を通じて周辺機器の制御を行うことで所定の目的に合致した機能を提供する。車載機１０においては、ＣＰＵ１０１のプログラムの実行により、ナビゲーション機能、通信機能、端末２０との間の操作支援に係る連携機能等が提供される。なお、ＣＰＵ１０１は、単一のプロセッサに限定
される訳ではなく、マルチプロセッサ構成であってもよい。また、単一のソケットで接続される単一のＣＰＵ１０１がマルチコア構成であってもよい。
【００２８】
主記憶部１０２は、ＣＰＵ１０１がプログラムやデータをキャッシュしたり、作業領域を展開したりする記憶媒体である。主記憶部１０２は、例えば、ＲＡＭ（Random Access Memory）やＲＯＭ（Read Only Memory）、フラッシュメモリを含む。補助記憶部１０３は、ＣＰＵ１０１等により実行されるプログラムや、動作の設定情報などを記憶する記憶媒体である。補助記憶部１０３は、例えば、ＨＤＤやＳＳＤ（Solid State Drive）、ＥＰ
ＲＯＭ（Erasable Programmable ROM）、フラッシュメモリ、ＵＳＢメモリ、ＳＤメモリ
カード等である。補助記憶部１０３には、ナビゲーションのために利用される地図情報が記録される。補助記憶部１０３は「第２記憶部」の一例であり、補助記憶部１０３に記録される地図情報は「更新対象の情報」の一例である。
【００２９】
操作部１０４は、搭乗者の操作入力を受け付ける入力部であり、例えば、タッチパネル、押ボタンスイッチ、スライドバー、回転操作スイッチ等を含む。操作部１０４を介して受け付けられた搭乗者の操作入力は、接続バス１１３を介してＣＰＵ１０１等に出力される。なお、操作部１０４には、赤外線素子等を備えたリモコンが含まれてもよい。
【００３０】
表示部１０５は、画像データを記憶するメモリ、画像データを演算処理する演算回路等を備え、ＣＰＵ１０１等の制御信号に基づいて、画像信号に対して輝度や色調、コントラストなどを調整する。表示部１０５は、画像信号に基づく表示画像を車載機１０の備えるＬＣＤ等の表示デバイスに出力する。なお、表示デバイスには、車載機１０を搭載する車両のフロントガラスに映像を投影するヘッドアップディスプレイ等が含まれてもよい。
【００３１】
ナビゲーション部１０６は、表示デバイスに表示された地図上に自車位置や目的地までの経路を表示したり、交差点等で音声等による右左折等の進行方向案内を行ったり、交通情報を受信して表示したり、ＧＰＳ受信部１０７から自車位置情報を受信して表示したりして、目的地までの経路案内を行う。ナビゲーション部１０６は、各種演算処理を行うプロセッサ、各種処理のためにデータを記憶するＲＡＭ等のメモリを独自に備える。ＧＰＳ受信部１０７は、アンテナを介して受信されたＧＰＳ衛星からのＧＰＳ信号に基づき自車位置を検出し、検出した現在位置情報を出力する。ＧＰＳ受信部１０７は、ＧＰＳ信号を受信する受信回路、受信したＧＰＳ信号に基づいて自車位置を算出する演算回路等を備える。ナビゲーション部１０６、ＧＰＳ受信部１０７は、ＣＰＵ１０１からの制御信号により、オン／オフ、各種動作が制御される。
【００３２】
音声処理部１０８は、音声データを記憶するメモリ、音声データを演算処理する演算回路、増幅回路、減衰回路、共振回路等を備え、ＣＰＵ１０１等の制御信号に基づいて音声信号に対し、音量、音声を調整する。音声処理部１０８は、所定の処理が施された音声信号をスピーカ１０９に出力する。スピーカ１０９は、音声処理部１０８から出力された音声信号を音声として出力する。
【００３３】
通信制御部１１０は、外部機器との間の通信のための通信インターフェースである。通信制御部１１０は、ＵＳＢやブルートゥース等の通信規格に準拠する通信モジュール１１１と接続する。車載機１０は、通信モジュール１１１を介して接続された端末２０との間で、当該車載機の提供する所定機能を利用するための操作支援に係る連携処理を行う。通信モジュール１１１は、「第２通信手段」の一例である。
【００３４】
センサ１１２は、車載機１０が搭載される車両の状態を検知するセンサである。センサ１１２により検知された車両の状態は、ＣＡＮ（Controller Area Network）等の車内ネ
ットワークに接続されたＥＣＵ（Electronic Control Unit）を介して車載機１０に取得
される。車両の状態を示す情報として、例えば、イグニッションスイッチの位置、シフトレバーポジション、パーキングブレーキのオン／オフ、車速等が例示される。
【００３５】
（情報処理端末）
図３は、情報処理端末２０のハードウェア構成の一例を示す図である。情報処理端末２０は、接続バス２６によって相互に接続されたＣＰＵ２１、主記憶部２２、補助記憶部２３、通信ＩＦａ（２４ａ）、通信ＩＦｂ（２４ｂ）、入出力ＩＦ２５を備える。ＣＰＵ２１、主記憶部２２、補助記憶部２３は、それぞれ、車載機１０の有するＣＰＵ１０１、主記憶部１０２、補助記憶部１０３と同様であるため、説明が省略される。なお、情報処理端末２０の補助記憶部２３は、ネットワークＮを介して接続された管理サーバ３０からダウンロードされた更新データ２０１を格納するストレージとして機能する。補助記憶部２３は、「第１記憶部」の一例である。
【００３６】
通信ＩＦａ（２４ａ）は、情報処理端末２０と接続するネットワークＮとのインターフェースである。情報処理端末２０は、通信ＩＦａ（２４ａ）を介し、インターネット等の公衆ネットワーク、Ｗｉｆｉや携帯電話網の無線ネットワーク、ＶＰＮ等の専用ネットワーク、ＬＡＮ等に接続する。通信ＩＦｂ（２４ｂ）は、車載機１０との間の通信インターフェースである。情報処理端末２０は、通信ＩＦｂ（２４ｂ）を介し、車載機１０の備えるＵＳＢやブルートゥース等の通信規格に準拠する通信モジュール１１１と接続する。本実施形態においては、情報処理端末２０は、通信ＩＦａ（２４ａ）を介して接続された管理サーバ３０から、更新データ２０１をダウンロードする。そして、情報処理端末２０は、通信ＩＦｂ（２４ｂ）を介して接続された車載機１０へ、補助記憶部２３に格納された更新データ２０１を送信する。通信ＩＦａ（２４ａ）は、「第１通信手段」の一例である。
【００３７】
入出力ＩＦ２５は、情報処理端末２０の備える入力デバイス、出力デバイスとの間でデータの入出力を行うインターフェースである。情報処理端末２０の備える出力デバイスとして、ＬＣＤ等の表示デバイス、スピーカ等が例示される。また、情報処理端末２０の備える入力デバイスとして、タッチパネル、押ボタン、マイクロフォン等が例示される。上記の構成要素はそれぞれ複数に設けられてもよいし、一部の構成要素を設けないようにしてもよい。なお、図１に例示の管理サーバ３０の構成は、図３に例示の情報処理端末２０と同様であるため説明が省略される。但し、管理サーバ３０においては、通信ＩＦｂ（２４ｂ）を設けないようにしてもよい。
【００３８】
〔３．機能構成〕
図４は、車載システム１の機能構成を説明する図である。車載機１０と連携する端末２０では、アプリの実行により、図４に示すダウンロード処理２０ａ、保存処理２０ｂ、更新データ送信処理２０ｃの各処理機能が提供される。但し、ダウンロード処理２０ａおよび保存処理２０ｂの処理機能は、更新データをダウンロードするための専用アプリケーションプログラムを介して提供されるとしてもよい。このような専用アプリケーションプログラムは、例えば、更新データを管理する管理サーバ３０からの提供が想定される。管理サーバ３０は、例えば、ブラウザ機能を介して接続する端末２０が更新データを購入する際に、ダウンロード専用のアプリケーションプログラムを提供すればよい。管理サーバ３０は、更新データの購入時に端末２０の表示画面を介して専用アプリケーションプログラムの起動を要求し、ダウンロード処理２０ａおよび保存処理２０ｂの処理機能を実行させればよい。
【００３９】
ダウンロード処理２０ａは、車載機１０の発行する認証機器ＩＤの受信後のユーザの操作入力を契機として、通信ＩＦａ（２４ａ）を介してネットワークＮに接続する。ネットワークＮには、車載機１０が、更新対象にする地図情報の最新の地図データ、および、当
該地図データの更新履歴といった更新情報を管理する管理サーバ３０が接続する。ダウンロード処理２０ａは、ユーザの、地図情報の更新データの購入決定の操作入力を契機として、車載機１０から発行された認証機器ＩＤを管理サーバ３０に送信する。認証機器ＩＤを送信した端末２０にはネットワークＮを介し、管理サーバ３０から、地図情報の更新データ２０１および購入者ＩＤが送信される。ダウンロード処理２０ａは、ネットワークＮに送信された上記情報（更新データ２０１および購入者ＩＤ）を、通信ＩＦａ（２４ａ）を介して受信する。ダウンロード処理２０ａは、受信した上記情報を保存処理２０ｂに引き渡す。
【００４０】
保存処理２０ｂは、ダウンロード処理２０ａから引き渡された上記の情報を端末２０のストレージとして機能する補助記憶部２３に格納する。保存処理２０ｂは、受信した更新データ２０１に購入者ＩＤを関連付けて、補助記憶部２３の所定の領域に記録する。更新データ２０１の保存完了後、端末２０の表示画面には、ダウンロード完了の旨が表示される。
【００４１】
更新データ送信処理２０ｃは、更新データ２０１のダウンロード完了後のユーザの操作入力を契機として、通信ＩＦｂ（２４ｂ）を介して車載機１０に接続する。そして、更新データ送信処理２０ｃは、車載機１０への更新データの送信に関するユーザの操作入力を契機として、補助記憶部２３に保存された購入者ＩＤおよび更新データ２０１を送信する。車載機１０では、受信した購入者ＩＤが所定の条件を満たす場合には、補助記憶部２３に保存された更新データ２０１の受信が開始される。
【００４２】
車載機１０は、通信モジュール１１１を介して接続する端末２０から送信された購入者ＩＤおよび更新データ２０１を取得する。そして、車載機１０は、例えば、購入者ＩＤに基づいて更新データ２０１を解凍し、解凍した更新データを主記憶部１０２の所定の領域に保存する。主記憶部１０２への更新データの保存後、車載機１０は、所定のタイミングで補助記憶部１０３に記録された地図情報を更新する。主記憶部１０２の所定領域に保存された更新データは、更新前の地図情報が記録された補助記憶部１０３の記憶領域に複写され、更新前の地図データが更新データによって書き換えられる。
【００４３】
〔４．処理の流れ〕
次に、図５、図６の図面を参照し、本実施形態に係る車載システム１のデータ更新に関する処理を説明する。図５は、車載システム１のデータ更新に関する処理の一例を示すシーケンス図である。
【００４４】
図５において、車載機１０のハードディスク等に記録された地図情報のデータ更新を行う端末２０のユーザは、アプリを起動し、当該端末と連携する車載機１０とを接続する（Ｓ１）。アプリの実行により、ＵＳＢ／ブルートゥースに準拠する通信ＩＦｂ（２４ｂ）を介し、通信モジュール１１１を有する車載機１０が端末２０に接続される。ユーザは、端末２０の入力デバイスを操作し、地図情報を更新するための認証情報の発行を要求する（Ｓ２）。車載機１０は、アプリの実行を介して連携する端末２０からの認証情報の発行要求を受け付け、当該車載機に連携する端末毎に管理されるユニークな識別情報である認証機器ＩＤを発行する（Ｓ３）。車載機１０は、例えば、発行した認証機器ＩＤと連携する端末２０の識別情報（例えば、端末名称、ＭＡＣ（Media Access Control）アドレス等）とを対応付けて、補助記憶部１０３に格納する。そして、車載機１０は、発行した認証機器ＩＤを端末２０に通知する（Ｓ４）。
【００４５】
認証機器ＩＤの通知を受けた端末２０のユーザは、アプリが実行された端末２０を所定のタイミングで操作し、ネットワークＮに接続させる。端末２０とネットワーク上の管理サーバ３０とは、通信ＩＦａ（２４ａ）を介して接続される。管理サーバ３０に接続後、
地図情報の更新に係る更新データの購入処理が実行される（Ｓ６）。Ｓ６の処理は、図６を用いて説明される。
【００４６】
図６は、Ｓ６の詳細処理の一例を示すフローチャートである。図６のフローチャートにおいて、端末２０は、ＴＬＳ（Transport Layer Security）等の規格に準拠したセキュリティプロトコルにしたがって、管理サーバ３０に接続される（Ｓ２１）。端末２０のＬＣＤ等の表示デバイスには、更新データを購入するための案内画面（初期画面）が表示される。端末２０では、案内画面にしたがって入力されるユーザの操作入力により、更新データを購入するためのユーザ認証画面が表示される。端末２０は、表示されたユーザ認証画面に案内されたユーザの操作入力（例えば、パスワード入力等）に基づいて、管理サーバ３０との間の、更新データを購入するためのユーザ認証を完了させる（Ｓ２２）。
【００４７】
ユーザ認証後の端末２０の表示デバイスには、地図情報を更新するための更新データの購入画面が表示される（Ｓ２３）。また、購入画面の表示と共に端末２０では、更新データを格納するための空き容量のストレージチェックが実行される（Ｓ２４）。端末２０は、例えば、購入対象の更新データのデータ容量の問合せを管理サーバ３０に対して行う。そして、端末２０は、管理サーバ３０から取得したデータ容量に基づいて、ストレージとして機能する補助記憶部２３の空き容量が更新データを格納するのに十分であるかを判定する（Ｓ２５）。
【００４８】
端末２０は、更新データを格納するストレージの空き容量が十分であると判定する場合には（Ｓ２５、“Ｙｅｓ”）、Ｓ２６の処理に移行する。一方、端末２０は、更新データを格納するストレージの空き容量が十分でないと判定する場合には（Ｓ２５、“Ｎｏ”）、Ｓ２８の処理に移行する。
【００４９】
Ｓ２６の処理では、端末２０は、ユーザ認証後の更新データの購入画面に対する購入決定のユーザ操作を受け付け、購入決定の通知を管理サーバ３０に通知する。また、端末２０は、車載機１０から当該端末宛に発行された認証機器ＩＤを管理サーバ３０に通知する。
【００５０】
管理サーバ３０は、例えば、認証機器ＩＤおよびユーザ認証情報等に基づいて購入者ＩＤを生成（第１の暗号化処理）し、当該購入者ＩＤを用いて更新データをデータ圧縮する。なお、管理サーバ３０は、購入者ＩＤを用いて更新データをさらに暗号化（第２の暗号化処理）してもよい。そして、管理サーバ３０は、データ圧縮あるいは暗号化された更新データを購入者ＩＤと共に端末２０に送信する。なお、第１の暗号化処理で暗号化された購入者ＩＤを復号するためのアルゴリズムは、予め車載機１０の補助記憶部１０３等に保持されている。また、第２の暗号化処理で購入者ＩＤを用いて暗号化された更新データを復号するためのアルゴリズムも、予め車載機１０の補助記憶部１０３等に保持されている。ここで、データ圧縮された更新データを伸張するためのアルゴリズムは、予め車載機１０の補助記憶部１０３等に保持されていてもよいし、暗号化された更新データに内蔵されていてもよい。
【００５１】
端末２０は、管理サーバ３０から送信された購入者ＩＤを取得し、当該購入者ＩＤを用いて暗号化された更新データをダウンロードする（Ｓ２７）。更新データのダウンロード完了後、端末２０の表示デバイスに表示される表示画面は初期画面に遷移する。Ｓ２７の処理後、端末２０は、図５に示すＳ７の処理に移行する。
【００５２】
Ｓ２８の処理では、端末２０は、メモリの空き容量の不足を表示デバイスに表示する。メモリの空き容量の不足を提示されたユーザは、例えば、メモリの空き容量を確保する操作を行うため、管理サーバ３０との接続を解消する。端末２０では、ユーザの操作入力に
したがって管理サーバ３０との間の接続が解消され、図６に示す処理が終了する。
【００５３】
図５に戻り、端末２０は、ダウンロードが完了した更新データを購入者ＩＤに対応付けて補助記憶部２３の所定の領域に格納する（Ｓ７）。なお、メモリの空き容量の不足が提示されたときには、端末２０では、例えば、メモリの空き容量を確保するための操作が行われた後に、Ｓ５の処理が実行される。
【００５４】
Ｓ７の処理後、端末２０は、通信ＩＦｂ（２４ｂ）を介して連携する車載機１０に接続される（Ｓ８）。連携する車載機１０への接続は、ユーザの意図する所定のタイミングで行われる。端末２０の表示デバイスには、例えば、車載機１０の所定機能を利用するための操作支援に係る画面が表示される。端末２０のユーザは、表示デバイスに表示された画面にしたがって操作入力を行うことで、車載機１０の補助記憶部１０３に記録された地図情報のデータの更新作業が実行される。
【００５５】
端末２０は、例えば、ユーザの操作入力を受け付け、補助記憶部２３に格納された購入者ＩＤを読み出して、当該購入者ＩＤを車載機１０に送信する。そして、車載機１０は、端末２０から送信された購入者ＩＤに基づいて認証処理を行う（Ｓ９）。なお、車載機１０のＣＰＵ１０１が実行するＳ９の処理は、更新情報の正当性を認証する認証手段ということもできる。
【００５６】
車載機１０は、例えば、端末２０から送信された購入者ＩＤを補助記憶部１０３等に保持されたアルゴリズムを用いて復号し、当該購入者ＩＤに含まれる認証機器ＩＤを抽出する。そして、車載機１０は、通信モジュール１１１を介して接続する端末２０に発行された認証機器ＩＤと、購入者ＩＤから抽出された認証ＩＤとの照合を行う。端末２０に発行された認証機器ＩＤは、当該端末の識別情報に対応付けられて補助記憶部１０３に保持されている。照合の結果は、通信モジュール１１１を介して接続される端末２０に通知される（Ｓ１０）。
【００５７】
端末２０は、車載機１０から通知された照合の結果を表示デバイスの表示画面に表示する。例えば、照合の結果が肯定を示す場合には、ストレージ（補助記憶部２３）に保存された更新データの送信開始を促すメッセージ等が端末２０の表示画面に表示される。また、照合の結果が否定を示す場合には、購入者ＩＤの認証が拒絶された旨のメッセージ等が端末２０の表示画面に表示される。なお、このような照合の結果の通知は、車載機１０の表示部１０５やスピーカ１０９を介して、端末２０を操作するユーザに通知されるとしてもよい。
【００５８】
端末２０は、更新データの送信開始を促すメッセージ等に基づいて入力されたユーザの操作入力を受け付け、補助記憶部２３に格納された更新データを読出して、当該更新データの車載機１０への送信を開始する（Ｓ１１）。車載機１０は、端末２０から送信された更新データを主記憶部１０２の所定の領域に保存する。主記憶部１０２への更新データの保存後、車載機１０は、購入者ＩＤを用いて暗号化（データ圧縮）された更新データを解凍する。車載機１０の補助記憶部１０３の所定の領域に記録された更新前の地図情報は、解凍された更新データに基づいて更新される（Ｓ１２）。なお、車載機１０においては、データ更新が実行可能な機会に、補助記憶部１０３の所定の領域に記録された地図情報の書き換えが行われる。
【００５９】
以上、説明したように、本実施形態に係る車載システム１においては、車載機１０と連携する情報処理端末２０のストレージを更新データの保存領域として利用し、ユーザの意図するタイミングで車載機１０のハードディスク等に記録された更新対象のデータを更新できる。本実施形態に係る車載システム１では、更新データを受信するための電波環境下
に位置する場所への車両の移動や、更新作業を提供する施設への搬入といった手間は発生しない。また、更新データが格納されたＳＤカードや光学ディスク等のメディアの購入、あるいは、データ更新を行うための専用メディアの購入が不要になる。さらに、ユーザの意図するタイミングで、端末２０の備えるストレージを介したデータ更新が可能になる。本実施形態に係る車載システム１では、更新作業に係る手間を簡易化し、時間的な制約を最小限に抑制できる。この結果、本実施形態の車載システム１によれば、車載機の更新対象情報への更新作業に関するユーザビリティを向上させる技術が提供できる。
【００６０】
また、本実施形態に係る車載システム１においては、データ更新の際に情報処理端末２０に対して、ストレージに保存された更新データの正当性を確保するための認証情報（認証機器ＩＤ）が発行できる。この結果、本実施形態の車載システム１では、情報処理端末２０に発行した認証情報との照合に基づいて、情報処理端末２０のストレージに保存された更新データの正当性が確認できる。本実施形態の車載システム１では、正規のルート以外で不正に入手された更新データの不正複写や不正利用が抑制できる。
【００６１】
（変形例）
ユーザは、例えば、車載機１０の保持する地図情報等の更新データを管理する管理サーバ３０に端末２０の電話番号やメールアドレス等を事前に登録した上で、上記情報についての更新通知を受けることもできる。管理サーバ３０は、例えば、更新が生じた地域の地域メッシュ情報（標準地域メッシュ、分割地域メッシュ等）や、地域メッシュを識別する地域メッシュコードをＳＭＳメッセージや電子メールを介して更新通知と共に端末２０に通知することができる。このように、端末２０が、管理サーバ３０に予め登録されている場合には、更新通知と共に通知される地域メッシュ情報に基づいて、更新が生じた地域部分の地図情報の更新が可能になる。
【００６２】
変形例の車載システム１は、図７、図８を用いて説明するように、データの更新が通知された地域メッシュ情報に基づいて、対応する地域部分の地図情報が更新される形態である。図７は、変形例の端末２０における更新情報の取得処理の一例を示すフローチャートである。図７の処理は、更新通知の受信の度毎に行われる。
【００６３】
図７のフローチャートにおいて、処理の開始は、端末２０宛に送信された更新通知の受信のときが例示される。端末２０は、受け付けた更新通知によって指定された地域部分の地域メッシュ情報を取得する（Ｓ３１）。なお、端末２０は、電子メールやＳＭＳメッセージに記載された、ＵＲＬ（Uniform Resource Locator）を介して、更新された地域部分の地域メッシュ情報を取得してもよい。端末２０は、例えば、ＡＰＩを介して更新通知に含まれるＵＲＬに接続し、該当する地域メッシュ情報を取得すればよい。なお、車載機１０のＣＰＵ１０１が実行するＳ３１の処理は、更新対象情報に対する更新通知を受け付ける受付手段と言うこともできる。
【００６４】
端末２０は、更新通知が通知されたことを示す更新通知フラグをセットする（Ｓ３２）。更新通知フラグは、例えば、アクティブ状態および非アクティブ状態で表される２値のステータス情報である。端末２０は、更新通知フラグの状態をアクティブ状態にセットし、当該更新通知フラグを補助記憶部２３の所定の領域に格納する。そして、端末２０は、Ｓ３１の処理で取得した地域メッシュ情報を補助記憶部２３の所定の領域に記録する（Ｓ３３）。Ｓ３３の処理後、図７の処理が終了される。
【００６５】
次に、図８を説明する。図８は、変形例の端末２０におけるデータ更新に関する処理の一例を示すフローチャートである。図８の処理は、車載機１０との間の連携の度毎に行われる。
【００６６】
図８のフローチャートにおいて、処理の開始は、アプリの実行により、通信ＩＦｂ（２４ｂ）を介して連携する車載機１０への接続のときが例示される。端末２０は、更新通知フラグの状態を判定する（Ｓ４１）。更新通知フラグは、補助記憶部２３の所定の領域に格納される。端末２０は、更新通知フラグの状態がアクティブである場合には（Ｓ４１、“アクティブ”）、Ｓ４２の処理に移行する。一方、端末２０は、更新通知フラグの状態がアクティブでない場合には（Ｓ４１、“非アクティブ”）、図８に示す処理を終了する。
【００６７】
Ｓ４２の処理では、端末２０は、補助記憶部２３を参照し、更新通知を受けた地域部分の地域メッシュ情報を取得する。端末２０は、取得した地域メッシュ情報を主記憶部２２の所定の領域に一時的に記憶する。
【００６８】
Ｓ４３の処理では、端末２０は、通信ＩＦｂ（２４ｂ）を介して接続された車載機１０から、走行に関する履歴情報を取得する。ここで、走行に関する履歴情報として、目的地履歴、走行軌跡等が例示される。
【００６９】
目的地履歴は、例えば、車載機１０のナビゲーション機能を利用した際に、端末２０や操作部１０４等を介して設定入力された目的地の履歴情報である。また、走行軌跡は、所定距離（例えば、１０００ｋｍ等）内の直近の走行地点を一定間隔（例えば、５ｋｍ等）で経路上に記録した履歴情報である。端末２０は、目的地履歴に基づいて、所定期間内における目的地の設定を伴うユーザの走行領域が特定できる。同様にして、端末２０は、走行軌跡に基づいて、直近の所定距離内におけるユーザの走行領域が特定できる。端末２０は、走行に関する履歴情報を車載機１０から取得することで、ユーザの走行傾向を推定することが可能になる。なお、走行に関する履歴情報の取得は、例えば、車載機１０に対する目的地履歴、走行軌跡等の通知要求を介して行われる。端末２０は、上記通知要求に応じて車載機１０から通知された走行に関する履歴情報を主記憶部２２の所定の領域に一時的に記憶する。
【００７０】
Ｓ４４の処理では、端末２０は、地域メッシュ情報の示す領域範囲と、車載機１０から取得された走行に関する履歴情報の示す領域範囲との比較を行う。そして、Ｓ４５の処理では、端末２０は、更新対象の領域範囲内に、履歴情報として記録されたユーザの走行領域が含まれているかを判別する（判別手段）。
【００７１】
端末２０は、例えば、目的地として設定された地点の位置情報（緯度、経度）が、地域メッシュで表される領域内に含まれるか否かを判断する。また、端末２０は、走行軌跡として記録された経路上の走行範囲が、地域メッシュで表される領域内に含まれるか否かを判断する。このような判断は、Ｓ４４の比較処理により、目的地として設定された地点毎、走行軌跡として記録された経路上の走行地点毎に行われる。
【００７２】
端末２０は、地域メッシュ情報で示される更新対象の領域範囲が、履歴情報として記録されたユーザの走行領域を含む場合には（Ｓ４５、“Ｙｅｓ”）、Ｓ４６の処理に移行する。端末２０は、地域メッシュ情報で示される更新対象の領域範囲が、履歴情報として記録されたユーザの走行領域を含まない場合には（Ｓ４５、“Ｎｏ”）、Ｓ４７の処理に移行する。
【００７３】
なお、Ｓ４５の処理では、地域メッシュ情報で示される複数の領域範囲が、判定対象になる。例えば、ユーザの走行軌跡が隣接する２つの地域メッシュや、３つの地域メッシュに含まれる場合がある。この場合には、当該走行軌跡が含まれる複数の地域メッシュの示す領域範囲が判定対象になる。
【００７４】
さらに、Ｓ４５の処理においては、判定のための閾値を設けることもできる。例えば、目的地に設定された地点の設定回数を計数し、計数値が閾値として設定された所定回数を超える目的地を、判定対象の履歴情報として抽出してもよい。端末２０は、ユーザの走行頻度の高い領域を優先的に選択して判定対象にできる。更新対象領域が、上記ユーザの走行頻度の高い領域を含むときには、当該領域の地図情報を優先して更新できる。
【００７５】
さらに、目的地履歴の時刻情報に基づいて、一定期間（例えば、週単位、月単位）毎に区分けして、設定回数を計数し、各単位期間の計数値に対して時間経過に伴う重み付けを行ってもよい。例えば、直近の単位期間では重み係数を「ａａ１」とし、時間経過順にしたがって、単位期間毎の重み係数を「ａａ１」より小さい重み係数に設定するようにしてもよい。端末２０は、直近の単位期間で設定された目的地を含む領域を優先的に選択して判定対象にできる。更新対象領域が、上記直近の単位期間で設定された目的地を含むときには、当該目的地を含む領域の地図情報を優先して更新できる。
【００７６】
Ｓ４６の処理では、端末２０は、履歴情報として記録されたユーザの走行領域を含む地域メッシュ情報（更新部分）をユーザに通知する（通知手段）。例えば、端末２０は、当該端末の表示画面に、該当する地域メッシュ情報の更新を促す旨のメッセージを表示する。あるいは、連携する車載機１０を介して、該当する地域メッシュ情報の更新を促す旨のメッセージを表示部１０５の表示デバイスに表示させる。同様にして、連携する車載機１０のスピーカ１０９を介し、上記メッセージを音声メッセージとして出力させてもよい。
【００７７】
端末２０の表示画面や、車載機１０の表示部１０５、スピーカ１０９を介して上記メッセージの通知を受けたユーザは、所定のタイミングで図５に示す処理を実行する。図５に示す処理の実行により、少なくとも車載機１０に保存された目的地履歴、走行軌跡等に対応する地域部分の地図データが優先的に更新される。また、閾値判定されたユーザの走行頻度の高い領域、直近の単位期間で設定された目的地を含む領域に対応する地域部分の地図データが優先的に更新される。
【００７８】
図８に戻り、Ｓ４７の処理では、端末２０は、更新通知フラグをリセットする。Ｓ４７の処理により、アクティブ状態にセットされた更新通知フラグは、非アクティブ状態にリセットされる。端末２０は、非アクティブ状態にリセットされた更新通知フラグを補助記憶部２３の所定の領域に格納する。Ｓ４７の処理後、図８の処理が終了される。
【００７９】
以上、説明したように、変形例の車載システム１では、地域メッシュ情報等の部分的な更新通知を取得できる場合において、走行に関する履歴情報を取得し、当該履歴情報を含む地域メッシュ領域に対応する地図データを優先的に更新できる。また、変形例の車載システム１は、取得した走行に関する履歴情報に対して所定の閾値を採用することで、ユーザの走行頻度の高い領域、直近の単位期間で設定された目的地を含む領域の地域部分に対応する地図データを優先的に更新できる。
【００８０】
なお、実施形態および変形例では、データ更新の対象情報として、車載機１０のハードディスク等に記録された地図情報を例として説明した。ここで、データ更新に係る対象情報は、例えば、車載機１０に搭載される各種ソフトウェアや処理に関する各種データ、表示部１０５を介して提供される動画ファイル、スピーカ１０９を介して提供される音声ファイル等であってもよい。車載機１０と連携する端末２０の備えるストレージ（補助記憶部２３等）を、更新データを保存する記録媒体として利用し、ユーザの意図するタイミングで上記更新対象情報のバージョンアップを行うことができる。
【符号の説明】
【００８１】
１  車載システム
１０  車載機（ＡＶＮ機）
２０  情報処理端末
２１、１０１  ＣＰＵ
２２、１０２  主記憶部
２３、１０３  補助記憶部
２４ａ  通信ＩＦａ
２４ｂ  通信ＩＦｂ
２５  入出力ＩＦ
２６、１１３  接続バス
３０  管理サーバ
１０４  操作部
１０５  表示部
１０６  ナビゲーション部
１０７  ＧＰＳ受信部
１０８  音声処理部
１０９  スピーカ
１１０  通信制御部
１１１  通信モジュール
１１２  センサ
【図１】
2019200132.tif 000003
【図２】
2019200132.tif 000004
【図３】
2019200132.tif 000005
【図４】
2019200132.tif 000006
【図５】
2019200132.tif 000007
【図６】
2019200132.tif 000008
【図７】
2019200132.tif 000009
【図８】
2019200132.tif 000010